(57)【要約】      （修正有）【課題】単純な構造で、使い勝手のよいカゴ飛出し防止具を提供する。【解決手段】ショッピングカートのカゴ２００用の荷台部の前端部材１１４に取り付けて使用する、カゴ飛出し防止具３００であって、当該カゴ飛出し防止具３００を、前記前端部材１１４に回動可能に取り付けるための取付孔３１２と、前記カゴ２００の前面２２０に当接するカゴ飛出し防止部３２０と、前記カゴ２００の底面２１０を支持する支持部３１１と、を備えており、前記カゴ飛出し防止部３２０は、前記支持部３１１の前端から立ち上がるように形成されていることを特徴とする。【選択図】図３
0003195473.tif 000002
【実用新案登録請求の範囲】
【請求項１】
ショッピングカートのカゴ用の荷台部の前端部材に取り付けて使用する、カゴ飛出し防止具であって、
当該カゴ飛出し防止具を、前記前端部材に回動可能に取り付けるための取付孔と、
前記カゴの前面に当接するカゴ飛出し防止部と、
前記カゴの底面を支持する支持部と、を備えており、
前記カゴ飛出し防止部は、前記支持部の前端から立ち上がるように形成されていることを特徴とするカゴ飛出し防止具。
【請求項２】
前記支持部の後端には、前記カゴの底面に当接するカゴ押上げ部が形成されていることを特徴とする請求項１に記載のカゴ飛出し防止具。
【考案の詳細な説明】
【技術分野】
【０００１】
本考案は、スーパーマーケット等で利用されるショッピングカートに取り付けて、荷台部に載せられたカゴが飛び出ないようにする、カゴ飛出し防止具に関する。
【背景技術】
【０００２】
従来から、レジ等で会計を済ませる際に、ショッピングカートの荷台部に載せられたカゴを、荷台部から持ち上げて移動させていた。これは、荷台部の四方には、カゴが飛び出ないように、柵状のストッパーが設けられているからである。
【０００３】
そこで、特許文献１に示すショッピングカートでは、カゴを持ち上げる負担を軽減するために、荷台部の四方を囲む柵状のストッパーを取り外した。そして、カゴが飛び出ないように、カゴの側方から、カゴの一部に係止する係止部材を設けた。この係止部材はバネ等の付勢手段を備えており、一度、カゴの一部に係止部材が係止したら、その状態を付勢手段によってロックして、不用意にカゴが飛び出ないようにしている。そして、レジカウンターにショッピングカートを乗り入れた際に、レジカウンターに備え付けられた専用のロック解除部材によって、係止部材とカゴとの係合を解除し、レジカウンターにカゴを移動できるようにしている。
【０００４】
しかしながら、この特許文献１に示す技術では、カゴが簡単に飛び出ないようにするために、係止部材にバネ等の付勢手段を設ける必要があった。さらに、この係止部材の係合を解除するためには、専用のロック解除部材を用意する必要があった。このように、特許文献１の技術は、バネ等の付勢手段や専用のロック解除部材を備える必要があり、その分製造コストが嵩み、構成要素も複雑になる。また、係止部材の係合を解除するために、専用のロック解除部材を利用しなければならず、非常に使い勝手が悪いものであった。
【先行技術文献】
【特許文献】
【０００５】
【特許文献１】特開２００４−２１６９２３号
【考案の概要】
【考案が解決しようとする課題】
【０００６】
そこで、本考案は、上記問題に鑑み、単純な構造で、使い勝手のよいカゴ飛出し防止具を提供するものである。
【課題を解決するための手段】
【０００７】
上記課題を解決するために、本考案のカゴ飛出し防止具は、ショッピングカートのカゴ用の荷台部の前端部材に取り付けて使用する、カゴ飛出し防止具であって、当該カゴ飛出し防止具を、前記前端部材に回動可能に取り付けるための取付孔と、前記カゴの前面に当接するカゴ飛出し防止部と、前記カゴの底面を支持する支持部と、を備えており、前記カゴ飛出し防止部は、前記支持部の前端から立ち上がるように形成されていることを特徴とする。
【０００８】
上記特徴によれば、カゴを荷台部に載置している状態では、カゴの自重により、カゴの底面とカゴ飛出し防止具の支持部とが強く接触するので、当該支持部の前端から立ち上がるカゴ飛出し防止部が、カゴの前面にしっかりと当接した状態を維持でき、その結果、不用意にカゴが飛び出すことを防止できる。一方、会計を済ませるために、カゴをレジカウンター等に移動させる際は、カゴを前方へ引き出すことで、カゴの前面によりカゴ飛出し防止部が押されて、カゴ飛出し防止具が前方へ回転し、カゴをレジカウンターに移動させることができる。
【０００９】
つまり、本考案のカゴ飛出し防止具は単純な構造であると共に、カゴの自重を利用して、カゴ飛出し防止部をカゴ前面にしっかりと強く当接させて、不用意にカゴが飛び出すことを防止でき、さらに、カゴをレジカウンター等に移動させる際は、カゴを引き出すという簡単な動作で、カゴ飛出し防止具が回動し、カゴ飛出し防止部によるカゴ飛び出し防止機能を解除できるため、極めて使い勝手がよいのである。
【００１０】
さらに、本考案のカゴ飛出し防止具は、支持部の後端には、前記カゴの底面に当接するカゴ押上げ部が形成されていることを特徴としている。
【００１１】
上記特徴によれば、カゴをレジカウンター等に移動させる際に、カゴ飛出し防止具が前方へ回転するのに伴って、カゴ押上げ部がカゴの底面を押し上げることができ、カゴを容易に前方へ移動させることができる。
【考案の効果】
【００１２】
上述したように、本考案によれば、単純な構造で、使い勝手のよいカゴ飛出し防止具を提供することができる。
【図面の簡単な説明】
【００１３】
【図１】（ａ）は本考案のカゴ飛出し防止具を取り付ける対象のショッピングカートの側面図、（ｂ）は本ショッピングカートの荷台部上側のみを示した平面図である。
【図２】（ａ）は本考案のカゴ飛出し防止具の側面図、（ｂ）は平面図、（ｃ）は正面図である。
【図３】（ａ）及び（ｂ）は、図１（ｂ）に示すＡ―Ａ断面図において、荷台部先端側のみを拡大して示したもので、この荷台部先端側に本考案のカゴ飛出し防止具を取り付けた状態を示す断面図である。
【符号の説明】
【００１４】
１００        ショッピングカート
１１０        荷台部
１１４        前端部材
２００        カゴ
２１０        底面
２２０        前面
３００        カゴ飛出し防止具
３１１        支持部
３１２        取付孔
３２０        カゴ飛出し防止部
【考案を実施するための形態】
【００１５】
以下に、本考案の実施の形態について、図面を用いて説明する。なお、以下の説明において参照する各図の形状は、好適な形状寸法を説明する上での概念図又は概略図であり、寸法比率等は実際の寸法比率とは必ずしも一致しない。つまり、本考案は、図面における寸法比率に限定されるものではない。
【００１６】
図１は、本考案のカゴ飛出し防止具３００を取り付ける対象であるショッピングカート１００を示している。図１に示すように、ショッピングカート１００は、全体が金属製のパイプ状部材によって組み立てられており、上部にはカゴ２００を積載するための荷台部１１０が、下部にはカゴ２００を積載し、ショッピングカート１００を移動可能にするローラーＲを取り付けた下方荷台部１２０が、備えられている。
【００１７】
この荷台部１１０は、外側枠体１１１と、外側枠体１１１の内側に前後方向に掛け渡された内側枠体１１２と、この内側枠体１１２の間に、横方向に掛け渡された前端部材１１４と、外側枠体１１１から斜めに立ち上がるように連結された側面枠体１１５からなる。また、外側枠体１１１はカゴ２００の底面２１０を支えるものであるが、前方へ不用意にカゴ２００が飛び出さないように、後側が下がるように傾斜している。なお、これらの部材は、金属製のパイプ部材を切断して湾曲させて、互いに溶接等によって連結固定されている。
【００１８】
また、図１（ａ）に示すように、カゴ２００の底面２１０は荷台部１１０上に載置され、側面２３０は側面枠体１１５に当接している。そして、荷台部１１０の前端側には、カゴの飛び出しを防止する柵等が設けられていないので、例えば、会計を済ませるためにレジカウンターにショッピングカート１００を乗り入れ、カゴ２００をレジカウンターに移動させる時に、カゴ２００をそのまま前方に引き出すことができるので非常に便利である。
【００１９】
しかしながら、荷台部１１０の前端側には、カゴの飛び出しを防止する柵等が備えられていないので、不用意にショッピングカート１００に衝撃等が加えられた際には、カゴ２００が前方へ飛び出してしまう虞がある。また、カゴ２００を前方に引き出す際には、荷台部１１０が後側に傾斜しているので、その傾斜面上に沿ってカゴ２００を引き上げていかねばならず、買物客やレジ係員に負担がかかる。
【００２０】
そこで、後述するカゴ飛出し防止具３００を前端部材１１４に取り付けて、上記問題の解決を図る。では、このカゴ飛出し防止具３００の構成について、図２を参照しながら、詳しく説明する。
【００２１】
図２に示すように、カゴ飛出し防止具３００は、主に本体部３１０と、本体部３１０の前端から略直角に立ち上がるように形成されたカゴ飛出し防止部３２０と、本体部３１０の後端へ延びるカゴ押上げ部３３０とからなる。
【００２２】
本体部３１０は、上端側に平坦な支持部３１１と、前端部材１１４（図１（ｂ）参照）に回動可能に取り付けるための取付孔３１２とを備える。具体的には、本体部３１０の下端側には下部プレート３１３が設けられており、この下部プレート３１３を取り外すことで、取付孔３１２の下部が開放され、その開放部分から前端部材１１４を内部に収容する。そして、前端部材１１４を収容させた後に、再び下部プレート３１３を本体部３１０の下端側にネジ等で固定することで、前端部材１１４は取付孔３１２から脱落することはない。そして、この取付孔３１２の内径は、前端部材１１４の外径と同じ、又は僅かに大きくしてあるので、本体部３１０は、前端部材１１４の周りを任意の方向へ自由に回転することができる。
【００２３】
また、カゴ飛出し防止部３２０は、図２（ｃ）に示すように正面視略長方形であり、その平坦な表面によって、カゴ２００の前面２２０をしっかりと押さえることができる。さらに、カゴ飛出し防止部３２０の下端側から前方に向けて、ストッパー３２１が突出形成されており、このストッパー３２１は、最前縁部１１３（図１（ｂ）参照）の下面に当接可能な大きさになっている。
【００２４】
また、支持部３１１の後端から、同一平面上に延びるように、カゴ押上げ部３３０が形成されている。このカゴ押上げ部３３０の角部３３１は、下方へ湾曲するように形成されており、後述するように、カゴ２００の底面２１０を容易に押し上げられる。
【００２５】
なお、カゴ飛出し防止具３００の各部材は硬質合成樹脂や金属等で形成されており、各部材を形成した後に、互いの部材を接着固定させてもよいし、また、各部材を一体成形してもよい。
【００２６】
では、次に、図３を参照して、本考案のカゴ飛出し防止具３００の使用態様について説明する。
【００２７】
まず、図３（ａ）は、カゴ２００をショッピングカート１００の荷台部１１０に載置している状態である。カゴ飛出し防止具３００は、ショッピングカート１００の前端部材１１４に回動可能に取り付けられている。
【００２８】
そして、カゴ２００の自重により、支持部３１１がカゴ２００の底面２１０と強く面接触しているので、支持部３１１の前端から立ち上がるカゴ飛出し防止部３２０が、カゴ２００の前面２２０にしっかりと当接した状態を維持でき、カゴ２００が不用意に前方へ飛び出すことを防止できる。また、カゴ飛出し防止具３００のストッパー３２１が最前縁部１１３の下面に当接して、カゴ飛出し防止具３００が後方へ（時計回りに）回転するのを防止しているので、カゴ飛出し防止部３２０がカゴ２００の前面２２０に接触した状態を維持しやすくなっている。
【００２９】
では、次に、会計を済ませるために、レジカウンターTにショッピングカートを乗り入れ、カゴ２００をレジカウンターT上に移動させる場合を、図２（ｂ）に示す。
【００３０】
図２（ｂ）に示すように、買い物客やレジ係員が、カゴ２００をレジカウンターTへ向けて前方へ引き出す。すると、カゴ飛出し防止部３２０がカゴ２００の前面２２０に押されて、カゴ飛出し防止具３００が、前端部材１１４を中心に前方へ（反時計回りに）回転する。そして、カゴ飛出し防止部３２０が最前縁部１１３に当接して回転が止まる。また、この回転に伴い、カゴ押上げ部３３０がカゴ２００を上方へ押し上げている。よって、カゴ２００は、カゴ飛出し防止部３２０の上端とカゴ押上げ部３３０とで略水平に支持されるので、買い物客やレジ係員は、レジカウンターTへそのままカゴ２００を簡単に移動させることができる。
【００３１】
また、カゴ飛出し防止部３２０とカゴ押上げ部３３０は前端部材１１４を中心に相対するように配置されている。そのため、カゴ飛出し防止部３２０に下方へ力が加わると、てこの原理により前端部材１１４を支点に、カゴ押上げ部３３０には上方へ向かう力が発生する。そのため、図３（ｂ）の状態では、カゴ飛出し防止部３２０の上端側に、カゴ２００の自重により下方へ強く押す力がかかるが、この力は、カゴ押上げ部３３０のカゴ２００を強く上方へ押し上げる力へと変換されている。よって、カゴ２００の自重を利用して、カゴ２００を容易に押し上げることが出来るのである。
【００３２】
なお、カゴ押上げ部３３０の角部３３１は、滑らかに下方へ湾曲する形状をしている。そのため、カゴ２００の底面２１０と滑らかに当接しながら、スムーズにカゴ２００を押し上げることができる。
【００３３】
なお、本考案のカゴ飛出し防止具は、上記の実施例に限定されず、実用新案登録請求の範囲に記載された範囲、実施形態の範囲で、種々の変形例、組み合わせが可能であり、これらの変形例、組み合わせも本考案の範囲に含むものである。
【図１】
0003195473.tif 000003
【図２】
0003195473.tif 000004
【図３】
0003195473.tif 000005